(57)【特許請求の範囲】
【請求項１】
送受信アンテナを含む有指向性無線通信媒体を含む主通信路を用いて映像信号を送信する送信セットと、前記主通信路を介して受信した前記映像信号による映像を表示する表示部を含む受信セットとからなる画像表示装置であって、
前記送信セットは、第１及び第２の制御信号に基づいて、前記送受信アンテナの送受信整合性を調整する主通信路調整手段を含み、
前記受信セットは、前記受信セットにおける前記映像信号の受信品質を表す受信品質信号を、前記主通信路とは別の無指向性通信媒体を含む副通信路を用いて前記送信セットに伝送する副通信路伝送手段を含み、
前記送信セットは、更に、前記受信セットに所定のテスト映像信号を送信して前記表示部によって表示された映像を受光して該テスト映像を解析して解析結果信号を生成するテスト映像解析手段と、前記副通信路伝送手段により伝送された前記受信品質信号に基づいて前記第１の制御信号を生成し、前記解析結果信号に基づいて前記第２の制御信号を生成する制御手段とを含むことを特徴とする画像表示装置。
【請求項２】
前記主通信路調整手段は、前記有指向性通信媒体の指向性を制御する指向性制御部と、前記有指向性通信媒体の送信出力を制御する出力制御部とを含み、前記第１の制御信号に基づいて前記指向性制御部及び前記出力制御部が制御され、前記第２の制御信号に基づいて前記指向性制御部が制御されることを特徴とする請求項１に記載の画像表示装置。
【請求項３】
前記テスト映像解析手段は、前記表示部に表示されたテスト映像を受光して受光信号を生成する受光部と、前記受光信号を解析して前記送信及び受信セット間における前記主通信路の送受信整合性の良否を表す解析結果信号を生成する解析部とを含むことを特徴とする請求項１に記載の画像表示装置。
【請求項４】
前記テスト映像は、前記表示部の画面中に表示された点滅周期の異なる２種類のパターンであって、前記受光部は、前記２種類のパターンからの受光の各々を通過帯域の異なるフィルタを用いて抽出して２つの異なる受光信号を生成し、前記解析部は、前記２つの異なる受光信号の不平衡を検知して、該不平衡量の大小をもって前記主通信路の送受信整合性の良否と為す前記解析結果信号を生成することを特徴とする請求項３に記載の画像表示装置。
【請求項５】
前記テスト映像は、前記表示部の画面中に表示された色彩の異なる２種類のパターンであって、前記受光部は、前記２種類のパターンからの受光の各々を透過光の異なる光学フィルタを用いて抽出して２つの異なる受光信号を生成し、前記解析部は、前記２つの異なる受光信号の不平衡を検知して、該不平衡量の大小をもって前記主通信路の送受信整合性の良否と為す前記解析結果信号を生成することを特徴とする請求項３に記載の画像表示装置。
【請求項６】
前記テスト映像解析手段は、装置の電源投入時若しくは指令に応じて、前記表示部をして前記テスト映像を表示せしめることを特徴とする請求項１に記載の画像表示装置。
【発明の詳細な説明】
【０００１】
【発明の属する技術分野】
本願発明は、映像信号を送信する送信側セットと、それを受信して表示画面に映像を表示する受信側セットからなる画像表示装置に関する。
【０００２】
【従来の技術】
近年、ＡＶ(Audio Visual)機器の低価格化および性能向上に伴い、一般家庭においても、ＰＤＰや液晶ディスプレー等の表示画面を搭載した薄型の画像表示装置が急速に普及しつつある。これらの画像表示装置は、その薄型設計故に、表示画面と制御装置を分離して設営する必要がある。このため、かかる画像表示装置では、一般に、衛星放送用チューナやＤＶＤ等の映像信号発生部を内蔵する送信側セット（以下、単に“送信セット”と称する）と、表示画面を搭載した受信側セット（以下、単に“受信セット”と称する）とを分離したいわゆるセパレート構成を採る場合が多い。
【０００３】
このようなセパレートタイプの画像表示装置においては、例えば、ＳＨＦ帯域のマイクロ波や、赤外線等の光を用いた指向性の強い無線通信媒体を使用して、送信セットから受信セットに映像信号やそれに付随する音声信号、制御信号等の情報を伝送する。この場合、送信セットと受信セットの間において良好な信号の伝送状態を担保するには、両セット間の信号伝送路の指向性を一致させることが重要となる。
【０００４】
このため、従来の画像表示装置では受信セットにおいて、送信セットから送信されたテスト信号の受信状態を計測し、該テスト信号の受信状態が最良となるように送信セットの指向性或いは送信出力を調整するという２人１組の調整作業が常に必要であった。また、何らかの理由によって双方のセットの位置関係が変動した場合には、再度かかる調整作業を必要とするという煩雑さもあった。
【０００５】
【発明が解決しようとする課題】
本願発明は、このような問題を解決するために為されたものであり、送信セットと受信セット間の通信路の調整を容易に行えるようにした画像表示装置を提供することを目的とする。
【０００６】
【課題を解決するための手段】
本願発明は、送受信アンテナを含む有指向性無線通信媒体を含む主通信路を用いて映像信号を送信する送信セットと、前記主通信路を介して受信した前記映像信号による映像を表示する表示部を含む受信セットとからなる画像表示装置であって、前記送信セットは、第１及び第２の制御信号に基づいて、前記送受信アンテナの送受信整合性を調整する主通信路調整手段を含み、前記受信セットは、前記受信セットにおける前記映像信号の受信品質を表す受信品質信号を、前記主通信路とは別の無指向性通信媒体を含む副通信路を用いて前記送信セットに伝送する副通信路伝送手段を含み、前記送信セットは、更に、前記受信セットに所定のテスト映像信号を送信して前記表示部によって表示された映像を受光して該テスト映像を解析して解析結果信号を生成するテスト映像解析手段と、前記副通信路伝送手段により伝送された前記受信品質信号に基づいて前記第１の制御信号を生成し、前記解析結果信号に基づいて前記第２の制御信号を生成する制御手段とを含むことを特徴とする。
【０００７】
【発明の実施の形態】
本願発明による画像表示装置の実施例を図１に示すブロック図に基づいて説明する。
本実施例に基づく画像表示装置は、いわゆる大画面表示装置であり、同図に示す如く、送信セット１０と受信セット２０とから構成されている。なお、基本的には、送信セット１０と受信セット２０は、例えば同一の室内に設置されるものとする。
【０００８】
図１において、送信セット１０から受信セット２０に映像信号を伝送するための通信路を“主通信路”と呼称する。この通信路は、送信セット１０から受信セット２０へ向かう単方向であり、ここに使用される通信媒体は有指向性を持つものと定義する。また、情報量の膨大な映像信号を伝送する目的からこの通信路は、単位時間当たりの通信容量が大きい、いわゆる“高レート”の通信路とする必要がある。
【０００９】
本実施例では、かかる要求を満足すべく該通信路の媒体として指向性を有し、高速かつ大量の情報が伝送可能な、例えばＳＨＦ帯域（３ＧＨｚ以上）のマイクロ波を想定している。但し、本実施例は、かかる構成に限定されるものではなく主通信路の媒体としてマイクロ波と同様の特性を有する、例えば赤外線等の光無線を使用しても良い。
【００１０】
また、送信セット１０と受信セット２０との間には、上記主通信路の他に両セット間で種々の制御データを送受信する通信路が設けられており、これを“副通信路”と呼称する。この通信路は、その用途上、双方向通信が可能であり、ここに使用される通信媒体は無指向性のものと定義する。なお、副通信路は、制御データのみの伝送に使用されるため、主通信路に較べて単位時間当たりの通信容量が小さい、いわゆる“低レート”の通信路で十分である。
【００１１】
本実施例では、該通信路の媒体として、いわゆる“ブルートゥース(Bluetooth)”や、無線ＬＡＮなどに使用される無指向性の小電力電波を想定している。但し、本実施例はかかる構成に限定されるものではなく副通信路として、例えば、無指向性の光無線システムを使用する構成としても良い。更に、電灯線搬送通信や電話回線等の有線通信媒体を使用しても良い。
【００１２】
先ず、図１の送信セット１０からその構成を説明する。なお、映像信号発生部１１は、例えば、衛星放送用のチューナや、ＤＶＤの再生装置等のいわゆる映像ソフトの供給機器であり、同図に示す如く、送信セット１０の外部に設置するようにしても良いし、その機能を送信セット１０が内蔵するような構成としても良い。
【００１３】
送信セット１０は、主に主通信路送信処理部１２、主通信路送信部１３、送信側有指向性アンテナ１４、機構駆動部１５、映像信号受光部１６、受光パターン解析部１７、送信側副通信路送受信部１８、及び送信側制御部１９、から構成されている。
先ず、映像信号発生部１１からの映像信号は、所定のインタフェース回路（図示せず）を介して主通信路送信処理部１２（以下、単に“処理部１２”と称する）に入力される。
【００１４】
処理部１２の内部において、かかる入力信号は、誤り訂正用符号化器（図示せず）による誤り訂正に必要な符号化が施され、さらに必要に応じて変調用符号化器（図示せず）において変調用の符号化が施され、その後変調器（図示せず）によって所定の変調処理が施される。
主通信路送信部１３（以下、単に“送信部１３”と称する）は、処理部１２からの出力信号を主通信路における通信媒体であるマイクロ波に重畳して送信する。なお、送信部１３からの送信出力は、後述する制御部からの制御信号に応じて制御されるものとする。
【００１５】
送信側有指向性アンテナ１４（以下、単に“アンテナ１４”と称する）は、例えばパラボラアンテナやアレーアンテナ等の指向性の強い小型アンテナであり、送信部１３から出力されるマイクロ波を収束させて受信セット２０側の受信アンテナに向けて放射する。
機構駆動部１５は、アンテナ１４を担持し、例えばステッピングモータや電磁アクチュエータ等の駆動源を用いてこれを稼動させ、アンテナ１４の指向方向を自在に制御する。
【００１６】
映像信号受光部１６（以下、単に“受光部１６”と称する）は、例えば、フォトトランジスタやフォトダイオード等の光電気変換素子及びそれに付随する増幅回路や制御回路等からなり、受信セット２０の表示画面に表示される所定のテストパターンを受光する回路である。
なお、受光部１６は、前記機構駆動部１５の上に搭載されており、その受光時における指向方向は前記アンテナ１４と同一に設定されているものとする。
【００１７】
受光パターン解析部１７（以下、単に“解析部１７”と称する）は、受光部１６からの出力信号について所定の解析処理を施し、その結果を後述する制御部に通知する。
送信側副通信路送受信部１８（以下、単に“送受信部１８”と称する）は、前述のように、ブルートゥース(Bluetooth)や、無線ＬＡＮなどに使用される無指向性の小電力電波を通信媒体として利用する無線送受信回路である。図１からも明らかなように、受信セット２０にも送受信部１８と同様の回路が装備されており、これら２つの送受信部の間において、いわゆる副通信路が設けられることになる。
【００１８】
後述する送信側制御部１９で生成された主通信路に関する種々の制御データは、送受信部１８に送られると所定の誤り訂正符号の付加処理、及び所定の変調処理が施されて受信セットに送信される。同様に、受信セットから受信された制御データは、所定の復調処理及び誤り訂正処理が施されたのち送信側制御部１９のＣＰＵに送られる。
【００１９】
送信側制御部１９（以下、単に“制御部１９”と称する）は、主にマイクロコンピュータや、ＲＯＭ、ＲＡＭ等の記憶回路、及びその周辺回路から構成されており、以上に述べた各部の制御を総括して行う回路である。
なお、送信セット１０には以上説明した回路の他にも、例えば送信する映像や音声等の制御に関して種々の回路が含まれている。しかしながら、これらの回路は本願発明と直接の関係が無いためこれに関する図示及び説明は省略する。
【００２０】
続いて、受信セット２０の構成を説明する。
受信セット２０は、主に受信側有指向性アンテナ２１、主通信路受信部２２、主通信路受信処理部２３、ディスプレイ画面２４、受信側副通信路送受信部２５、及び及び受信側制御部２６、から構成されている。
受信側有指向性アンテナ２１（以下、単に“アンテナ２１”と称する）は、送信セット１０におけるアンテナ１４と同じ有指向性アンテナであり、送信側のアンテナ１４から放射されるマイクロ波の主ビームを捕捉する。
【００２１】
主通信路受信部２２（以下、単に“受信部２２”と称する）は、アンテナ２１で捕らえた送信セット１０側からのマイクロ波を受信検波する回路である。
受信部２２の検波出力は、主通信路受信処理部２３（以下、単に“処理部２３”と称する）に供給され、処理部２３は、かかる検波出力に所定の誤り訂正処理及び復調・復号処理を施して送信セット１０から送られた映像信号を再生する。
【００２２】
これと同時に、処理部２３からは、信号の受信レベルや受信信号の誤り訂正時において検出された誤り率などのデータが後述する受信側制御部２６に出力される。
ディスプレイ画面２４は、上記の映像信号の受信プロセスによって再生された受信映像を表示する、例えばＰＤＰや液晶ディスプレイパネルの表示パネルである。
【００２３】
受信側副通信路送受信部２５（以下、単に“送受信部２５”と称する）は、送信セット１０における送受信部１８と同様の回路であり、その構成及び動作は前述の送受信部１８と同じであるためその説明を省略する。
受信側制御部２６（以下、単に“制御部２６”と称する）は、主にマイクロコンピュータや、ＲＯＭ、ＲＡＭ等の記憶回路、及びその周辺回路から構成されており、受信セット２０各部の動作を総括して制御する回路である。
【００２４】
なお、送信側と同様に受信セット２０においても図１に示す以外に、例えば表示画面の駆動回路や、表示制御等に関して種々の回路が含まれているが、それらの回路は本願発明と直接の関係が無いためその図示および説明は割愛する。
次に、図１の実施例に示す画像表示装置の動作を図２の処理フローチャートに基づいて説明する。なお、かかる動作の前提として、送信セット１０及び受信セット２０が両セット間における主通信路の指向性の一致を調整できる範囲内で設置されており、両セット間における主通信路の設定を妨げる障害が生起していないことが条件であることは言うまでもない。
【００２５】
送信セット１０及び受信セット２０の電源投入或いは、両セットにおけるリセット処理が為されると、先ず、送信セット１０の制御部１９が“粗調整用表示パターン要求”指令を生成してこれを送受信部１８に出力する（ステップ０１）。ここで“粗調整”とは、両セット間における主通信路の大まかな調整（主に指向性の調整）を行うことを表すものである。
【００２６】
送受信部１８は、かかる指令に基づいて所定の信号を副通信路を介し、受信セット２０内の送受信部２５に送信する。前述の如く、この副通信路は無指向性の通信媒体を用いているので、たとえ送受信両セットが正確に正対していなくても、送信セット１０からの信号は、受信セット２０において確実に受信できる訳である。
【００２７】
受信セット２０の送受信部２５は、かかる信号を受信するとこれを制御部２６に通知し、制御部２６は、所定の粗調整用の映像パターンを生成してこれをディスプレイ画面２４に出力する（ステップ２１）。
ディスプレイ画面２４に表示された映像パターンは、光学性通信媒体、即ち通常の可視光線を介して送信セット１０に伝送され、送信セット１０の受光部１６で電気信号に変換されて解析部１７に出力される（ステップ０２）。解析部１７では、かかる信号に対して所定の解析処理を施した後、その解析結果を制御部１９に通知する（ステップ０３）。
【００２８】
制御部１９は、この解析結果より送受信セット間の位置関係を判断し（ステップ０４）、両セットの位置関係が良好であれば、つまり、両セットが正対しており、主通信路の指向性が両セット間でほぼ一致していれば次の微調整シーケンス（ステップ０５以下）に進む。一方、両セット間の主通信路の指向性が一致していなければ、制御部１９は、ステップ０６に進み両セット間における主通信路の指向性の粗調整を行う。
【００２９】
かかる主通信路における指向性粗調整の第１の実施例について、図３を基に説明する。
図３に示す実施例は、粗調整用の映像パターンとして、点滅周期の異なる２つのパターンをディスプレイ画面２４の左右に表示する方法である。
この場合、受信セット２０の制御部２６は、前述のステップ２１において、図３に示すような映像をディスプレイ画面２４に表示する。この映像パターンは、例えば、ディスプレイ画面２４の向かって左側に１０Ｈｚで点滅するパターン２４ａを表示し、向かって右側には１Ｈｚで点滅するパターン２４ｂを表示するものである。言うまでもないが、これらのパターンの点滅周期は上記の値に限定されるものではなく、後述する帯域フィルタによって容易に分離できる関係にあればどのような値を選択しても良い。
【００３０】
一方、送信セット１０では、光学系１６ｅを用いてかかる映像からの光線を集束して受光部１６内の受光素子の受光面に結像させ、受光部１６からの出力信号を解析部１７内部の２つの帯域フィルタに分岐して供給する。この内、帯域フィルタ１７ａは、その通過帯域の中心周波数が１Ｈｚに設定されており、帯域フィルタ１７ｂは、その通過帯域の中心周波数が１０Ｈｚに設定されている。
【００３１】
つまり、パターン２４ａから受光した点滅周期１０Ｈｚの信号は帯域フィルタ１７ｂのみを通過し、パターン２４ｂから受光した１Ｈｚの信号は帯域フィルタ１７ａのみを通過することになる。そして、両帯域フィルタを通過した信号のレベルはコンパレータ１７ｃで比較され、その比較結果が解析部１７からの出力として制御部１９に通知される。
【００３２】
前述のように、機構駆動部１５の上には、受光部１６とアンテナ１４とが同軸の指向性を保って搭載されている。従って、送信セット１０が受信セット２０のディスプレイ画面２４と正対し、両セット間における主通信路の指向方向が一致していれば、受光部１６も受信セット２０を指向していることになり、上記２つのパターンから受光部１６に到来する光量はほぼ等しく、１７ａ及び１７ｂの両帯域フィルタの出力レベルは同等になる。
【００３３】
制御部１９は、コンパレータ１７ｃの解析結果を基に判断を行い（ステップ０４）、両帯域フィルタの出力レベルが等しければ送受信セットの位置関係が良好であるものと、つまり両セット間における主通信路の指向性が一致しているものと判断する。
一方、両セットが図４の左側に示すような位置関係にある場合、送信セット１０の受光部１６は、ディスプレイ画面上のパターン２４ｂの方向を指向することになるので、受光部１６には、当然、パターン２４ａ（１０Ｈｚ）よりもパターン２４ｂ（１Ｈｚ）からの光線が多く到達する。このため、図４の左下に示すように、帯域フィルタ１７ｂ（１０Ｈｚ）の出力レベルが帯域フィルタ１７ａ（１Ｈｚ）の出力レベルに較べて低下する。そして、コンパレータ１７ｃは、両帯域フィルタからの出力レベルの不平衡を検出すると制御部１９にこれを通報する。制御部１９は、かかる情報を基にステップ０４において、両セット間の位置関係が良好でないと判断してステップ０６に移り、両セット間における主通信路の指向性の粗調整に入る。
【００３４】
図４の例に即してかかる粗調整の動作を説明すれば次のようになる。
先ず、制御部１９のＣＰＵは、両帯域フィルタの出力レベルの相異に基づいて、受光部１６が正常な指向方向から如何なる方向にどの程度傾いているのかを算定する。制御部１９は、この算定結果に応じて指向方向の傾きを修正する制御信号を生成してこれを機構駆動部１５に供給する。これによって機構駆動部１５が所望の方向に回動し、受光部１６の指向方向の修正が為されるのである。
【００３５】
因みに、図４左側における例示の場合、機構駆動部１５は、図中に示す※矢印の方向に回動することになる。かかる制御動作は、図２のフローチャートのＳ０２→Ｓ０３→Ｓ０４→Ｓ０６→Ｓ０２→…（但し“Ｓ”は“ステップ”を表す）のループ処理に示す如く、制御部１９が解析部１７から入力するコンパレータ１７ｃの解析結果によるフィードバックに基づいて行われる。
【００３６】
そして、解析部１７が両帯域フィルタからの出力が平衡したことを検出した時点でかかる制御動作が終了する。この結果、制御動作が終了した時点において、図４右側に示す如く、受光部１６はディスプレイ画面２４を正しく指向しており、当然、機構駆動部１５に同軸装備されているアンテナ１４も受信セット２０を指向することになる。
【００３７】
なお、本実施例では、ディスプレイ画面２４の画面左右に２つのパターンを設けたが、例えば、図３に示すパターン２４ａ’及び２４ｂ’のように画面の上下に設けて垂直方向の指向性のズレを修正する構成としても良く、さらに、これらを組み合わせた構成としても良い。
また、本実施例では、同一画面の左右に点滅周期の異なるパターンを設けたが、例えばディスプレイ画面の奇数フィールドと偶数フィールドを利用して、各々のフィールドの右側または左側のみに１つのパターンを表示させる構成としても良い。送信セットは、現在表示されている画面が奇数フィールドであるか、或いは偶数フィールドであるかを認識することが可能であるため、奇数フィールドで検出したパターンの光量と偶数フィールドで検出したパターンの光量とを比較することによって、前実施例と同様に受光部１６の指向方向の傾きを修正できるのである。因みに、かかる時分割によるパターン表示の構成を採ることによって、画面に表示するパターンの点滅周期は１種類で済むことになり、解析部１７における帯域フィルタの種類を削減することができる。
【００３８】
続いて、主通信路における指向性粗調整の第２の実施例について、図５に示す図を基に説明する。
図５に示す第２実施例は、粗調整用の映像パターンとして異なる２色のパターンをディスプレイ画面２４の左右に表示するものである。
この場合、受信セット２０の制御部２６は、図２に示すフローチャートのステップ２１において、例えば、図５に示すような、向かって左側に赤色パターン２４ａ、右側に青色パターン２４ｂを有する映像パターンをディスプレイ画面２４に表示する。なお、パターンの色はこれら２色に限定されるものではなく、２つのパターンを識別し得るものであれば、これ以外の種々の色彩を採用することができることは言うまでもない。
【００３９】
本実施例において、送信セット１０における受光部１６の構成は、図５に示す如く、光学系１６ｅ、青色透過フィルタ１６ａと青色検出用受光素子１６ｃ、及び赤色透過フィルタ１６ｂと赤色検出用受光素子１６ｄの各々の組合せから構成されている。ここで、青色透過フィルタ１６ａ及び赤色透過フィルタ１６ｂは、それぞれ青色光又は赤色光のみを透過させる光学フィルタである。光学系１６ｅによって収束され、各々のフィルタを透過した光は、受光素子１６ｃ又は１６ｄによって電気信号に変換され、解析部１７のコンパレータに出力される。解析部１７では、かかる２つの出力信号のレベルを比較してその結果を制御部１９に通知する。
【００４０】
図５に示す如く、送信セット１０と受信セット２０のディスプレイ画面２４とが正対し、両セット間における指向性が一致していれば、青及び赤の２つのパターンから受光部１６に到来する光量はほぼ等しく、上記２つの出力信号のレベルの大きさも等しくなる。一方、両セット間における指向性の方向がずれていた場合、上記２つの出力信号レベルのバランスが崩れることになる。
【００４１】
この様子をさらに詳しく説明したものが図６である。なお、同図は図５の構成を模式的に表したものであり、光学系１６ｅや機構駆動部１５等の本説明に直接関係のない構成要素は省略してある。
先ず、両セットが正対していた場合、図６の左側に示すように受光素子１６ｃ及び１６ｄの指向性は、ディスプレイ画面２４からの発光に対して一致し、各々の感度Ｂ０及びＲ０がほぼ等しくなる。一方、送信セットが右側に傾いていた場合、図６の右側に示すように受光素子１６ｃの感度は増加してＢ１となるが、逆に受光素子１６ｄの感度は減少してＲ１となる。
【００４２】
各々の受光素子からの出力信号レベルはその感度に比例するため、上記それぞれの場合の感度の比率Ｒ０／Ｂ０及びＲ１／Ｂ１が、各々の場合の出力信号レベルのバランスを表すことになる。
制御部１９は、かかる出力信号レベルのバランスを保つように機構駆動部１５に対する制御を行うことによって、両セット間における指向性を一致させることができるのである。なお、かかる制御の過程は、前述した第１の実施例における粗調整の場合と同様であるためその説明は割愛する。
【００４３】
以上説明した、粗調整に関する第１及び第２の実施例によれば、受信セット２０のディスプレイ画面を利用して所定の映像パターンを表示させ、これを送信セット１０に実装した受光素子で受信することによって主通信路の指向性の粗調整を行うことができる。従って、従来の単純な発光素子を用いたガイド光に較べて、粗調整に有効な各種のテストパターンを表示させることができる。
【００４４】
また、ディスプレイ画面をそのままガイド光の発光源として利用することにより、受信セットにガイド光発信用の発光素子を新たに設ける必要もない。さらに、ＬＥＤ等の単純な発光素子によるガイド光に比較して、ブロードでかつ光量の大きなガイド光を実現することができる。
なお、粗調整に用いられる各種のテストパターンは、受信セット２０の制御部２６がいわゆるテストパターンジェネレータを内蔵して予め定めたテストパターンを表示するようにしても良いし、送信セット１０が副通信路を用いて所定のテストパターンに関する情報を受信セット２０に送信するようにしても良い。
【００４５】
図２に示すフローチャートにおいて、以上説明した粗調整処理が終了すると送信セット１０の制御部１９は、ステップ０５に移り、“微調整の実行開始”指令を生成してこれを送受信部１８に出力する。ここで“微調整”とは、両セット間における主通信路の微調整（指向性の更なる調整および送信出力の調整）を行う動作を表すものである。
【００４６】
送受信部１８は、この指令に基づいて所定の制御信号を副通信路を介し、受信セット２０内の送受信部２５に送信する。
受信セット２０の送受信部２５は、かかる制御信号を受信するとこれを制御部２６に通知し、これを受けて制御部２６は、両セット間の主通信路の微調整処理を行うべく微調整処理のモードに入る。
【００４７】
一方、送信セット１０の制御部１９は、ステップ０７に移って送信部１３に指令を送り、主通信路のマイクロ波を用いて特定の検査符号からなる微調整用テスト信号を受信セット２０に向けて送信する。
両セット間における主通信路の指向性は、既に行われた粗調整処理によって大まかには一致しているため、送信セット１０のアンテナ１４から放射されるテスト信号が重畳されたマイクロ波の主ビームは、受信セット２０のアンテナ２１によってほぼ確実に捕捉される。
【００４８】
受信セット２０では、アンテナ２１が捕らえたマイクロ波を受信部２２で検波し、更にこれを処理部２３で復調・復号して、送信セット１０からの微調整用テスト信号を再生する。その後、処理部２３は、かかるテスト信号の受信レベルと復調時における誤り率を制御部２６に通知する（ステップ２３）。
制御部２６は、これらのデータを送受信部２５に送り、無指向性通信媒体による副通信路を経由して、送信セット１０の送受信部１８に伝送する（ステップ２４）。因みに、受信セット２０では、微調整処理のモードが終了するまで上記の動作を繰り返し実行されることになる。
【００４９】
送信セット１０の制御部１９は、ステップ０８で送受信部１８を介して受信セット２０からのデータを受信するとその内容を解析し、受信セット２０における主通信路の受信状態が良好であれば微調整処理を終了し、良好でなければステップ１１の微調整処理に移る（ステップ０９）。
ステップ１１における微調整処理は、種々の方法で実施することができる。例えば、受信セット２０での誤り率が大きいときは、制御部１９から送信部１３に送信出力を増大させる制御信号を供給し、誤り率が十分に小さいときは、伝送歪み並びに消費電力の低下を図るべく、送信出力を減少させる制御信号を供給するようにしても良い。また、粗調整のときと同様に、制御部１９から機構駆動部１５に制御信号を供給してこれを回動させ、受信セット２０における誤り率が最小となるような指向性の制御を行っても良い。同様に、制御部１９から機構駆動部１５に制御信号を供給してこれを回動させ、受信セット２０におけるテスト信号の受信レベルが最大となるような制御を行うようにしても良い。
【００５０】
これらの微調整処理は、その内の１つのみを単独で行うようにしても良いし、複数の処理を、例えば所定の優先度の下に組み合わせて時系列的に逐次行うようにしても良い。
かかる微調整処理を実施することによって、送信セット１０からの送信出力を最適な値に設定することが可能となり、また、両セット間における主通信路の指向性を、先に行った粗調整よりも更に正確に合わせ込むことが可能となる。
【００５１】
なお、微調整処理における制御部１９から送信部１３及び機構駆動部１５への制御動作は、図２のフローチャートのＳ０７→Ｓ０８→Ｓ０９→Ｓ１１→Ｓ０７→…（但し“Ｓ”は“ステップ”を表す）のループ処理に示す如く、制御部１９が副通信路を介して入手する主通信路の受信状態をフィードバックしつつ行われることは言うまでもない。
【００５２】
以上説明した微調整処理が終了すると、制御部１９は、ステップ１０に移り、副通信路を介して受信セット２０に微調整処理の実行終了を伝送する。これによって、受信セット２０の制御部２６は、微調整処理のモードを終わらせて通常の主通信路を用いた映像信号の受信モードに入る（ステップ２６）。同様に、送信セット１０も調整処理を終了させて、主通信路を用いた映像信号の送信を開始する（ステップ１２）。
【００５３】
以上説明を行った実施例は、画像表示装置の電源投入時、或いはリセット時に、両セット間における主通信路の調整を行うものであったが、本願発明はかかる実施例に限定されるものではない。本願発明にかかる画像表示装置は、主通信路と独立した制御データ伝送用の副通信路を有しているので、例えば装置の稼働後においても常に両セット間で制御データを交換し、定期的に微調整処理を行うことも可能である。
【００５４】
また、定期的なインターバルは定めず、例えば受信セット２０の主通信路受信部における誤り率や、受信レベルが所定の閾値を逸脱したときに微調整処理を行う構成としても良い。かかる構成を採ることによって、両セット間における主通信路の伝送品質を常に維持することが可能となる。
なお、以上の説明では、主通信路に関する指向性等の調整を送信セットで行ったが、本願発明はかかる事例に限定されるものではなく、例えば受信セットでこれを行うようにしても良い。この場合は、受信セットにおける有指向性アンテナを機構駆動部によって回動自在として、主通信路の指向性を調整するものとしても良い。
【００５５】
また、主通信路の通信媒体として光を使用した場合は、送信側の発光部を無指向性もしくは指向性の弱い発光素子を用いて、受信側の有指向性受光部が送信部からの光を捕捉する構成としても良いし、送信セットの発光部からの光線を天井等で一旦、乱反射させ、かかる光線を受信セットが捕らえるようにしても良い。さらに、送信セットと受信セットの間で所定の処理手順を定めておき、主通信路の指向性の調整処理を双方のセットで行う構成としても良い。
【００５６】
また、本実施例では、送信セットの送信部および受信セットの受信部を１組のみ使用していたが、本願発明はかかる事例に限定されるものではなく、例えば、送信セットにおいて複数の送信部を使用する構成としても良い。この場合、主通信路の微調整時におけるテスト符号を各々の送信部毎に異なるパターンに設定しておき、受信セット側で指向性の操作を行う構成とすれば、各送信部に対応した複数の受信レベルピークを識別・検出できるため、主通信路の指向性の調整がより容易となる。
【００５７】
さらに、受信セットにおいて複数の受信部を設ける構成としても良い。かかる構成を採ることによって、例えば、主通信路の通信媒体が光の場合、１つの受信部が室内光や表示装置のディスプレイ画面からの回析光によって影響を受けたときに、他の受信部によって受信特性の劣化をカバーすることができる。また、複数の受信部から最も受信特性の良好なものを選択して運用する、いわゆる“ダイバーシティ機能”を使用することも可能となる。
【００５８】
また、本願発明における副通信路としては、実施例で述べた無線媒体以外にも電灯線を用いた搬送回線や、電話回線、光ケーブル等によって構築された有線によるネットワークを利用することができる。つまり、本願発明でいう無指向性通信媒体とは、空間的な指向性を持たない全ての通信媒体を含むものである。
なお、本実施例中の図５において、ディスプレイ画面上に、例えば赤と青のパターンを離して配置する例を示したが、これらのパターンはディスプレイ画面上の同一位置に重ねて表示するようにしても良い。この場合、画面上の発光色は、かかる２色が混合されたマゼンタ色となり、ディスプレイ画面に対する受光部の指向特性が正対していれば各々のフィルタで分光され各受光素子に入光する各色の光量は等しくなる。しかし、かかる正対位置が変化すると、それぞれの受光部の指向特性により受光レベルのバランスが変化し、ディスプレイ画面と受光部の指向特性のズレを検出することができる。つまり、本願発明によるディスプレイ画面上のパターンと受光部との関係は、ディスプレイ画面に対する受光部の方向が画一的に判断し得る構成となっていれば良い。
【００５９】
【発明の効果】
以上詳述した如く、本願発明によれば送信セットと受信セットに分かれた画像表示装置において、両セット間で映像信号を伝送する主通信路の調整を容易かつ自動的に実施することが可能となる。
【図面の簡単な説明】
【図１】図１は、本実施例に基づく画像表示装置の概略構成ブロックを示す図である。
【図２】図２は、本実施例に基づく画像表示装置における主通信路の調整処理の概略フローチャートを示す図である。
【図３】図３は、図１の画像表示装置における主通信路の粗調整について、第１の実施例を示す図である。
【図４】図４は、図３に示す第１の実施例における処理の過程を説明した図である。
【図５】図５は、図１の画像表示装置における主通信路の粗調整について、第２の実施例を示す図である。
【図６】図６は、図５に示す第２の実施例における動作原理を示す図である。
【符号の説明】
１０  …  送信セット
１１  …  映像信号発生部
１２  …  主通信路送信処理部
１３  …  主通信路送信部
１４  …  送信側有指向性アンテナ
１５  …  機構駆動部
１６  …  映像信号受光部
１６ａ…  青色透過フィルタ
１６ｂ…  赤色透過フィルタ
１６ｃ…  青色検出用受光素子
１６ｄ…  赤色検出用受光素子
１６ｅ…  光学系
１７  …  受光パターン解析部
１７ａ…  帯域フィルタａ
１７ｂ…  帯域フィルタｂ
１７ｃ…  コンパレータ
１８  …  送信側副通信路送受信部
１９  …  送信側制御部
２０  …  受信セット
２１  …  受信側有指向性アンテナ
２２  …  主通信路受信部
２３  …  主通信路受信処理部
２４  …  ディスプレイ画面
２５  …  受信側副通信路送受信部
２６  …  受信側制御部
【図１】
0003995925.tif 000002
【図２】
0003995925.tif 000003
【図３】
0003995925.tif 000004
【図４】
0003995925.tif 000005
【図５】
0003995925.tif 000006
【図６】
0003995925.tif 000007